(57)【要約】【課題】傘の支持力を補強することができ、非力な者でも安定した支持力を発揮し、しかも安全な使用が可能な補強支持用傘の握り柄構造を提供する。【解決手段】握り柄３の下部に連結され傘使用時に利用者の腕の下面に当接せしめる補強腕部４を設ける。この握り柄３の下部に補強腕部４の基端部が揺動自在に連結され、利用者の腕Ａの下面に当接する補強腕部４の先端部に、腕回りに沿って湾曲した当接部６を設ける。握り柄３の上部に傘１使用時に利用者の親指及び人差指に当接せしめる固定盤５を設ける。傘１不使用時にこの固定盤５に補強腕部４を着脱自在に連結するように設ける。握り柄３を持って傘１を支持する際の支持力を補強するように設ける。【選択図】図１
0003136248.tif 000002
【実用新案登録請求の範囲】
【請求項１】
傘の柄の下端部に設けられた握り柄に装着され、該握り柄を持って傘を支持する際の支持力を補強する補強支持用傘の握り柄構造であって、握り柄の下部に連結され傘使用時に利用者の腕の下面に当接せしめる補強腕部と、握り柄の上部に設けられ傘使用時に利用者の親指及び人差指に当接せしめる固定盤とを備えたことを特徴とする補強支持用傘の握り柄構造。
【請求項２】
前記補強腕部は、前記握り柄の下部に補強腕部の基端部が揺動自在に連結され、利用者の腕の下面に当接する補強腕部の先端部に、腕回りに沿って湾曲した当接部を設けた請求項１記載の補強支持用傘の握り柄構造。
【請求項３】
前記補強腕部は、傘不使用時に前記固定盤に着脱自在に連結されるように設けられた請求項１又は２記載の補強支持用傘の握り柄構造。
【請求項４】
前記固定盤の側面に前記補強腕部の当接部が嵌合するように設けると共に、固定盤の嵌合部分に係止突起を設け、該係止突起が着脱自在に係止する係止溝を当接部の嵌合部分に設けた請求項１乃至３いずれか記載の補強支持用傘の握り柄構造。
【請求項５】
前記補強腕部は、前記握り柄の下部に設けられた固定体を介して連結され、該固定体は握り柄を軸として回転自在に設けられた請求項１乃至４いずれか記載の補強支持用傘の握り柄構造。
【考案の詳細な説明】
【技術分野】
【０００１】
本考案は、傘をさすときに、傘の柄を強固に支持することができる補強支持用傘の握り柄構造に関するものである。
【背景技術】
【０００２】
従来、この種の握り柄を設けた傘として、特許文献１や特許文献２に記載された傘などが提案されている。
【０００３】
特許文献１に記載の傘は、握り柄の上部に略Ｌ字状の突起部材を突設した傘で、使用時にはこの突起部材に指を掛けることで、強風時でも傘をさすことができるようにしたというものである。
【０００４】
一方、特許文献２に記載の傘は、握り柄に一対の手掛け用の紐を設けた傘である。そして、これらの紐を手首に掛けることで、傘が手から離れるのを防止しようとするものである。
【特許文献１】実用新案登録第３０２６２９５号公報
【特許文献２】特開平１１‐３０９００６号公報
【考案の開示】
【考案が解決しようとする課題】
【０００５】
これら各特許文献に記載された傘の握り柄では、強風時には指や手首に大きな負荷がかかるので、却って危険が伴うことになる。すなわち、特許文献１では、略Ｌ字状の突起部材に指を掛けているので、突風などによって突然傘があおられると、突起部材に掛けていた指が傷付くおそれがある。しかも、突起部材に指を掛けていても、傘をさしている支持力は、傘の柄を握る利用者の握力に依存するので、この突起部材が傘の支持力を補強する効果はなかった。
【０００６】
また、特許文献２では、二本の紐を利用者の手首に掛けているので更に危険が伴うことになる。例えば、強風時に傘のコントロールが不可能になったときでも、傘が手首に巻き付いているので、コントロール不能で強風にあおられた傘が凶器に変わるおそれがある。しかも、特許文献１と同じように、傘をさしている支持力は、傘の柄を握る利用者の握力に依存するので、手首に紐が掛かっていても傘の支持力を補強することはできないものである。
【０００７】
そこで本考案は、上述の課題を解消すべく案出されたもので、傘の支持力を補強することができ、非力な者でも安定した支持力を発揮し、しかも強風時でも安全な使用が可能な補強支持用傘の握り柄構造の提供を目的とするものである。
【課題を解決するための手段】
【０００８】
上述の目的を達成するため、本考案の第１の手段は、傘１の柄２の下端部に設けられた握り柄３に装着され、該握り柄３を持って傘１を支持する際の支持力を補強する補強支持用傘の握り柄構造であって、握り柄３の下部に連結され傘使用時に利用者の腕の下面に当接せしめる補強腕部４と、握り柄３の上部に設けられ傘１使用時に利用者の親指及び人差指に当接せしめる固定盤５とを備えたことにある。
【０００９】
第２の手段の前記補強腕部４は、前記握り柄３の下部に補強腕部４の基端部が揺動自在に連結され、利用者の腕Ａの下面に当接する補強腕部４の先端部に、腕回りに沿って湾曲した当接部６を設けたものである。
【００１０】
第３の手段の前記補強腕部４は、傘１不使用時に前記固定盤５に着脱自在に連結されるように設けている。
【００１１】
第４の手段は、前記固定盤５の側面に前記補強腕部４の当接部６が嵌合するように設けると共に、固定盤５の嵌合部分に係止突起７を設け、該係止突起７が着脱自在に係止する係止溝８を当接部６の嵌合部分に設けてある。
【００１２】
第５の手段の前記補強腕部４は、前記握り柄３の下部に設けられた固定体９を介して連結され、該固定体９は握り柄３を軸として回転自在に設けられたことを課題解消のための手段とする。
【考案の効果】
【００１３】
本考案の請求項１に記載の如く、握り柄３の下部に連結され傘使用時に利用者の腕Ａの下面に当接せしめる補強腕部４と、握り柄３の上部に設けられ傘１使用時に利用者の親指及び人差指に当接せしめる固定盤５とを備えたことにより、握り柄３を持って傘１を支持する際の支持力を補強し、非力な者でも傘の支持力を高めることができる。しかも、握り柄３から手を放すと傘１は自然に離れる構造なので、仮にコントロールを失った場合でも傘が手首に巻き付いたりするおそれはなく、安全な使用が可能である。
【００１４】
請求項２により、利用者の腕Ａの下面に当接する補強腕部４の先端部に、腕回りに沿って湾曲した当接部６を設けているので、補強腕部４の安定性を高めると共に、支持力を分散することができる。
【００１５】
請求項３、４により、傘１不使用時に補強腕部４を固定盤５に着脱自在に連結することで、不使用時の補強腕部４が嵩張らずに済む。また、係止突起７や係止溝８が使用時の妨げにならずに補強腕部４を連結することができる。
【００１６】
請求項５により、補強腕部４は、前記握り柄３の下部に設けられた固定体９を介して連結され、該固定体９は握り柄３を軸として回転自在に設けられているので、握り柄３から手を放すと傘１は自然に離れる構造に加え補強腕部４も回転する構造により、仮にコントロールを失った場合でも、腕から補強腕部４が離れ易くなり、更に安全な使用が可能になる。
【００１７】
このように本考案によると、傘の支持力を補強することができ、非力な者でも安定した支持力を発揮し、しかも安全な使用が可能になるなどといった実用上有益な種々の効果を奏するものである。
【考案を実施するための最良の形態】
【００１８】
本考案の最良の形態は、握り柄３の下部に連結され傘使用時に利用者の腕の下面に当接せしめる補強腕部４を設ける。この握り柄３の下部に補強腕部４の基端部が揺動自在に連結され、利用者の腕Ａの下面に当接する補強腕部４の先端部に、腕回りに沿って湾曲した当接部６を設ける。握り柄３の上部に傘１使用時に利用者の親指及び人差指に当接せしめる固定盤５を設ける。傘１不使用時にこの固定盤５に補強腕部４を着脱自在に連結するように設けることで、当初の目的を達成するものである。
【実施例】
【００１９】
本考案握り柄構造の基本構成は、握り柄３の下部に設けられた補強腕部４と、握り柄３の上部に設けられた固定盤５とを備え、傘１を支持する際の支持力を補強する構造である（図１参照）。
【００２０】
握り柄３は、傘１の柄２の下端部に設けられた部位であり、利用者は、通常この握り柄３を片手で持って傘１を支持している。図示の握り柄３には、指の形に合わせた凹凸形状１０を設けている。この凹凸形状１０によって握り柄３が握りやすくなり、傘１をしっかりと支持することができる。
【００２１】
補強腕部４は、握り柄３の下部に連結される部材で、傘使用時に利用者の腕の下面に当接せしめるものである。図示例では、補強腕部４の基端部を握り柄３の下部に揺動自在に連結している（図３参照）。また、図示しないが補強腕部４を握り柄３に固定することも可能である。一方、補強腕部４の先端部には、利用者の腕Ａの下面に当接する当接部６を設けている（図２参照）。この当接部６を、腕回りに沿った湾曲形状に形成することで、当接部６が腕にぴったりと合い、支持力を分散すると共に、使用時の違和感を解消することができる。
【００２２】
固定盤５は、握り柄３の上部に設けられる部材で、傘１使用時に利用者の親指及び人差指に当接せしめるものである（図１参照）。この固定盤５は、使用時に補強腕部４と一体となって作用するものである。すなわち、握り柄３をつかんだ手に固定盤５を当接せしめることで、この手から握り柄３、そして補強腕部４を介して当接せしめた腕までを一体化することができる。この結果、握り柄３をつかんだ手の握力は、これら握り柄３から補強腕部４を介して腕に至る構造上の支持力で補強されることになり、特に、強風で傘１が上下にあおられ、あるいは傘１を横倒ししようとする力などに対して極めて大きな支持力を発揮するものである。
【００２３】
この固定盤５に、傘１不使用時の補強腕部４を着脱自在に連結することで、不使用時の補強腕部４をコンパクトにすることができる（図４参照）。図示例では、固定盤５の側面に補強腕部４の当接部６が嵌合するように設けている。そして、固定盤５の嵌合部分に係止突起７を設け、該係止突起７が着脱自在に係止する係止溝８を当接部６の嵌合部分に設けたものである。これら補強腕部４と固定盤５との連結構造は、図示例に限られるものではなく、他の連結手段に変更することも可能である。
【００２４】
また、前記握り柄３の下部に固定盤５の如き固定体９を設け、この固定体９を介して補強腕部４を連結することも可能である（図１参照）。更に、握り柄３を軸としてこの固定体９を回転自在に設けておくと、強風等で仮にコントロールを失った場合でも補強腕部４が回転するので腕から補強腕部４が離れ易くなる。また、固定体９は回転しないものでもよい。
【００２５】
尚、図示例の各構成は、本考案の一実施例に過ぎず、補強腕部４や固定盤５の外観形状や取付け位置、サイズ、材質などの設計変更も可能である。また、補強腕部４や固定盤５は、握り柄３と共に設けて傘１に装着するほか、既存の傘１の握り柄３に後付けで装着可能な補強腕部４や固定盤５を設けることも可能であるなど、本考案の要旨を変更しない範囲において自由に変更することができる。
【図面の簡単な説明】
【００２６】
【図１】本考案の一実施例の使用状態を示す側面図である。
【図２】本考案の一実施例を示す平面図である。
【図３】本考案の収納状態の補強腕部の一実施例を示す側面図である。
【図４】本考案の収納状態の補強腕部の一実施例を示す平面図である。
【符号の説明】
【００２７】
Ａ  腕
１  傘
２  柄
３  握り柄
４  補強腕部
５  固定盤
６  当接部
７  係止突起
８  係止溝
９  固定体
１０  凹凸形状
【図１】
0003136248.tif 000003
【図２】
0003136248.tif 000004
【図３】
0003136248.tif 000005
【図４】
0003136248.tif 000006